(57)【要約】      （修正有）【課題】透明感を有しながら立体的な陰影を現出させる高級感のある包装容器を提供する。【解決手段】有底筒状の容器本体１と、容器本体１の開口部１０に着脱可能な蓋体とを備える包装容器において、容器本体１は、周面に起伏を有する有底筒状の内殻体１１と、少なくとも透過性を有して内殻体１１を覆う有底筒状の外殻体１２とからなり、内殻体１１は、外周面に形成される内殻胴部１３に、複数の面が接合されて形成される接合境界部１３ａを有する。【選択図】図３
0003212396.tif 000002
【実用新案登録請求の範囲】
【請求項１】
有底筒状の容器本体（１）と、前記容器本体（１）の開口部（１０）に着脱可能な蓋体（２）とを備える包装容器において、前記容器本体（１）は、周面に起伏を有する有底筒状の内殻体（１１）と、少なくとも透過性を有して前記内殻体（１１）を覆う有底筒状の外殻体（１２）とからなり、前記内殻体（１１）は、外周面に形成される内殻胴部（１３）に、複数の面が接合されて形成される接合境界部（１３ａ）を有することを特徴とする包装容器。
【請求項２】
前記内殻胴部（１３）は、中空の略円筒状からなる内殻第１胴部（１３０）と、内殻底部（１４）に向かうに従って縮径する内殻第２胴部（１３１）とを有することを特徴とする請求項１に記載の包装容器。
【請求項３】
前記内殻胴部（１３）は、多角形の面が周方向に複数連接されてなることを特徴とする請求項１に記載の包装容器。
【考案の詳細な説明】
【技術分野】
【０００１】
本考案は、化粧料を収容する容器に関し、特に装飾を施した包装容器に関するものである。
【背景技術】
【０００２】
従来、化粧料を収容する容器として、様々な装飾が施された容器が存在していた。例えば、容器本体と、容器本体の外側に外装された可撓性を有する装飾部材と、装飾部材が外装された容器本体がさらに覆設される外殻容器からなるものが公知であり（特許文献１参照）独特の視覚効果を有していた。
【先行技術文献】
【特許文献】
【０００３】
【特許文献１】特開２０１４−１０５０３２号
【考案の概要】
【考案が解決しようとする課題】
【０００４】
しかしながら、特許文献１の容器は、装飾部材としてシュリンクラベルが使用されており、実際の立体的形状によって生じる影を投影させたものではなく重厚感や臨場感を有するものではなかった。
【０００５】
本考案ではかかる従来の問題に鑑み、透明感を有しながら立体的な陰影を現出させる高級感のある包装容器を提供することを目的とする。
【課題を解決するための手段】
【０００６】
以下、本考案の実施の形態における包装容器を図面に基づいて説明する。本考案の請求項１に記載の包装容器は、有底筒状の容器本体と、前記容器本体の開口部に着脱可能な蓋体とを備える包装容器において、前記容器本体は、周面に起伏を有する有底筒状の内殻体と、少なくとも透過性を有して前記内殻体を覆う有底筒状の外殻体とからなり、前記内殻体は、外周面に形成される内殻胴部に、複数の面が接合されて形成される接合境界部を有することを特徴とするものである。
【０００７】
本考案の請求項２に記載の包装容器は、請求項１に記載の包装容器において、前記内殻胴部は、中空の略円筒状からなる内殻第１胴部と、内殻底部に向かうに従って縮径する内殻第２胴部とを有することを特徴とするものである。
【０００８】
本考案の請求項３に記載の包装容器は、請求項１に記載の包装容器において、前記内殻胴部は、多角形の面が周方向に複数連接されてなることを特徴とするものである。
【考案の効果】
【０００９】
本考案によれば、立体的形状からなる内殻体と、それを覆う透明性を有する外殻体から構成されることで、透明感を有しながら立体的な陰影を現出させる高級感のある包装容器とすることができる。
【図面の簡単な説明】
【００１０】
【図１】本考案の第１の実施の形態における包装容器の全体斜視図である。
【図２】本考案の第１の実施の形態における容器蓋体を外した包装容器本体の正面図である。
【図３】本考案の第１の実施の形態における容器蓋体を外した包装容器本体のＡ−Ａ線断面図及び一部省略断面図である。
【図４】本考案の第２の実施の形態における包装容器の全体斜視図である。
【図５】本考案の第２の実施の形態における包装容器の容器蓋体を外した包装容器本体の正面図である。
【考案を実施するための形態】
【００１１】
以下、本考案の包装容器を実施するための形態について、図面に基づいて説明する。当該包装容器は、上側に開口が設けられる容器本体と、容器本体の上端側に装着される蓋体とを備えてなり、容器本体の開口側を当該容器の上方とし、容器本体の底部が設けられる側を当該容器の下方とする。
【００１２】
図１は、第１の実施の形態における包装容器の全体斜視図である。図２は、第１の実施の形態における容器蓋体を外した包装容器本体の正面図である。図３は、第１の実施の形態における容器蓋体を外した容器本体のＡ−Ａ線断面図である。図４は、第２の実施の形態における包装容器の全体斜視図である。図５は、第２の実施の形態における包装容器の容器蓋体を外した包装容器本体の正面図である。
【００１３】
［第１の実施の形態について］
第１の実施の形態に係る包装容器は、図１に示すように、一方側に開口部１０を有し、他方側に底部を形成する有底筒状の容器本体１と、容器本体１の開口部１０に着脱可能な有天筒状の蓋体２とからなる。
【００１４】
容器本体１は、例えば、ポリエチレン、ポリプロピレン等の合成樹脂材料が用いられる。本実施の形態に係る容器本体１は、ポリエチレンテレフタレート（ＰＥＴ）樹脂が用いられている。また、容器本体１は、真空成形又は射出成形等によって成形される。容器本体１には、例えば、化粧料が収容されるが、化粧料に限られないのは勿論のことである。
【００１５】
容器本体１は、容器本体１の内側に形成される内殻体１１と、容器本体１の外側に形成される外殻体１２とからなる。外殻体１２は内殻体１１の外側に形成され、内殻体１１の外周面に形成される内殻胴部１３及び底に位置する内殻底部１４の外側に形成される。
【００１６】
内殻体１１は、図２に示すように、周面に起伏を有する有底筒状からなる。また、内殻体１１は、内殻胴部１３と内殻底部１４とからなる略有底円筒形状であり、上方に略円筒状に突設された口部１５を有する。口部１５の外周面には、蓋２と係合させるための係合部１５ａが設けられている。本実施の形態における内殻体１１には、メタリック顔料が含有されているが、これを含まない材料を使用してもよい。
【００１７】
内殻胴部１３は、筒状からなり、複数の面が接合されて形成される接合境界部１３ａを有する。本実施の形態における内殻胴部１３は、上方の口部１５側において中空の略円筒状からなる内殻第１胴部１３０と、下方の内殻底部１４に向かうに従って縮径する内殻第２胴部１３１とからなる。内殻第１胴部１３０と内殻第２胴部１３１の境には、内殻第一胴部１３０と内殻第２胴部１３１の境界となる接合境界部１３ａが形成される。
【００１８】
本実施の形態における接合境界部１３ａは、内殻第１胴部１３０と内殻第２胴部１３１の２つの周面が上下に連接される箇所に形成される。また、本実施の形態における内殻第１胴部１３０と内殻第２胴部１３１は、接合境界部１３ａにおいて折曲して連接されるものであるが、なめらかに湾曲して連接されるものであってもよい。
【００１９】
また、接合境界部１３ａは、図２に示すように、内殻胴部１３の外周面を側面方向から見た場合において、上下に波打つように波形に形成される。より具体的には、本実施の形態における接合境界部１３ａは、内殻体１１の外周面において、上下方向に複数の山及び谷を形成するものとされる。本実施の形態において形成される山及び谷の数はそれぞれ３つとされるが、デザインに応じて増減される。また、接合境界部１３ａは、波形に限られず、個々のデザインに応じて変形されるのは勿論のことである。
【００２０】
外殻体１２は、前述の内殻体１１を覆う有底筒状であり、外殻体１２の外周面に形成される外殻胴部１６と外殻底部１７とからなる。外殻体１２には、少なくとも透過性を有する材料が用いられるが、透明性を有する材料を用いるのが望ましい。外殻胴部１６は、内殻第１胴部１３０の外周面を覆う外殻第１胴部１６０と、内殻第２胴部１３１の外周面を覆う外殻第２胴部１６１からなる。
【００２１】
外殻第１胴部１６０は、内殻第１胴部１３０の外周側を覆うように設けられており、略円筒形状とされ略一定の厚さを有する。内殻第１胴部１３０は、外殻第１胴部１６０を介して視認されることで、看者に透明感を印象付けることができる。また、光を反射させて接合境界部１３ａより上方の形態を明確に視認させることができる。
【００２２】
外殻第２胴部１６１は、内殻第２胴部１３１の外周側を覆うように設けられており、下方の外殻底部１７に向かうに従って縮径しており、外径及び内径が小さくなるような中空の略円錐台形状とされる。内殻第２胴部１３１は、外殻第２胴部１６１を介して視認されることで、看者に対して透明感を印象付けるだけでなく、光を屈折させることで接合境界部１３ａより下方の形態を暗く落ち着いた印象を与えることができる。上記の内殻第１胴部１３０と内殻第２胴部１３１の形態とが組み合わさることで容器本体１にコントラストが生じ立体的な陰影を現出させることができる。
【００２３】
蓋体２は、略有天円筒形状からなり、内周面には、容器本体１の開口部１０を閉塞できるよう口部１５の係合部１５ａと係合する被係合部２ａ（図示省略）が設けられている。蓋体２には、ポリエチレン等の合成樹脂製フィルムが用いられる。
【００２４】
［第２の実施の形態について］
第２の実施の形態に係る包装容器は、図４に示すように、基本的構成が第１の実施の形態と同じであるが、以下の点で異なる。本実施の形態に係る包装容器の内殻胴部１３は、多角形の面を周方向に複数連接されてなる。より具体的には、内殻第１胴部１３０は、略三角形の平面からなる第１平面部１３０ａと略逆三角形の平面からなる第２平面部１３０ｂとが周方向に連続して交互に連接されてなる。また、内殻第２胴部１３１の外周面は、略逆三角形の平面からなる第３平面部１３１ａと、略三角形の平面からなる第４平面部１３１ｂとが周方向に連続して交互に連接されてなる。
【００２５】
また、第２の実施の形態に係る接合境界部１３ａは、図４及び図５に示すように、内殻胴部１３の外周面を側面方向から見た場合において、直前状に形成される。即ち、内殻体１１の外周面において、周方向であって、開口部及び底部と平行に形成される。
【００２６】
上記のとおり、本考案の実施の形態について詳述したが、本考案はこれらの実施の形態に限定されるものではなく、その趣旨を逸脱しない範囲での変更が可能である。例えば、内殻体１１の外周面の形状は上記以外の形状であってもよく、また、内殻体１１の外周面に限らず、蓋体２又は内殻底部１４の外周面にも加飾させたものであってもよい。また、内殻胴部１３は、内殻第１胴部１３０と、内殻第２胴部１３１との２つの部分からなるものとされるが、２以上の複数からなるものとしてもよい。
【符号の説明】
【００２７】
１        容器本体
２        蓋体
１０      開口部
１１      内殻体
１２      外殻体
１３      内殻胴部
１３ａ    接合境界部
１３０    内殻第１胴部
１３１    内殻第２胴部
１４      内殻底部
Ｐ        包装容器
【図１】
0003212396.tif 000003
【図２】
0003212396.tif 000004
【図３】
0003212396.tif 000005
【図４】
0003212396.tif 000006
【図５】
0003212396.tif 000007